(57)【要約】【課題】コストを低く抑えつつ防犯性に優れた給油所システムを提供する。【解決手段】紙幣を投入する紙幣投入部２ａが設けられた計量機２（２Ａ〜２Ｄ）と、紙幣投入部２ａに投入された紙幣を計量機２の外部に搬出する紙幣搬送路３と、紙幣搬送路３に空気を供給して紙幣を気流搬送する空気供給路４及びポンプ５と、紙幣搬送路３を通じて計量機２から搬出された紙幣を回収する紙幣回収装置６とを備えた給油所システム１。紙幣投入部２ａを精算機に設けることもできる。投入された紙幣を計量機２等の外部に退避させることができるため、売上金を持ち去る目的でそれらの一部が破壊されても、売上金が盗まれるのを回避することが可能になる。また、気流搬送を利用して紙幣を搬送するため、簡単な設備追加でシステムの導入を図ることができ、コストを低く抑えることができる。【選択図】図１
2011054084.tif 000002
【特許請求の範囲】
【請求項１】
紙幣を投入する紙幣投入部が設けられた計量機又は精算機と、
前記紙幣投入部に投入された紙幣を該計量機又は精算機の外部に搬出する紙幣搬送路と、
該紙幣搬送路に空気を供給して紙幣を気流搬送する空気供給手段と、
前記紙幣搬送路を通じて前記計量機又は精算機から搬出された紙幣を回収する回収装置とを備えることを特徴とする給油所システム。
【請求項２】
紙幣投入部が設けられ、該紙幣投入部に紙幣を投入して給油料金を支払う計量機であって、
前記紙幣投入部に投入された紙幣を該計量機の外部に搬出する紙幣搬送路と、該紙幣搬送路に空気を供給して紙幣を気流搬送する空気供給手段とが接続されることを特徴とする計量機。
【請求項３】
紙幣投入部が設けられ、該紙幣投入部に紙幣を投入して給油料金を支払う精算機であって、
前記紙幣投入部に投入された紙幣を該精算機の外部に搬出する紙幣搬送路と、該紙幣搬送路に空気を供給して紙幣を気流搬送する空気供給手段とが接続されることを特徴とする精算機。
【発明の詳細な説明】
【技術分野】
【０００１】
本発明は、給油所システム、計量機及び精算機に関し、特に、計量機や精算機に紙幣を投入して給油料金を支払うセルフサービス式の給油所システム等に関する。
【背景技術】
【０００２】
近年、給油所においては、利用客自らが給油作業等を行うセルフサービス式の給油所の普及が進んでいる（例えば、特許文献１参照）。かかる給油方式は、給油所のスタッフの省力化を促進してコストの削減を図ったり、その分を燃料価格に転嫁して安価での燃料提供が可能になるなど、給油所にとって幾多のメリットがある。
【先行技術文献】
【特許文献】
【０００３】
【特許文献１】特開平９−２７８０９６号公報
【発明の概要】
【発明が解決しようとする課題】
【０００４】
セルフサービス式の給油所においては、給油料金を計量機や精算機に投入して支払うため、支払った給油料金は、そのまま計量機等の内部に保管されることになる。しかし、ＡＴＭ機等をバール等の工具で破壊して紙幣を抜き取る事件が多発しており、セルフサービス式の給油所においても、従業員の休憩時間や深夜等の時間帯を狙って計量機等の一部を破壊し、装置内の紙幣を持ち去る事件が増加している。
【０００５】
これに対抗する手段として、計量機や精算機の設計を見直して構造の堅強化を図ることが考えられるが、この場合、計量機等の高価格化が避けられず、給油所に設置された全ての計量機等を置き換えるとなると、巨額の導入コストが必要となるという問題がある。
【０００６】
そこで、本発明は、上記従来の技術における問題点に鑑みてなされたものであって、コストを低く抑えつつ防犯性に優れた給油所システム等を提供することを目的とする。
【課題を解決するための手段】
【０００７】
上記目的を達成するため、本発明は、給油所システムであって、紙幣を投入する紙幣投入部が設けられた計量機又は精算機と、前記紙幣投入部に投入された紙幣を該計量機又は精算機の外部に搬出する紙幣搬送路と、該紙幣搬送路に空気を供給して紙幣を気流搬送する空気供給手段と、前記紙幣搬送路を通じて前記計量機又は精算機から搬出された紙幣を回収する回収装置とを備えることを特徴とする。
【０００８】
そして、本発明によれば、投入された紙幣を計量機等の外部に退避させることができ、売上金を持ち去る目的でそれらの一部が破壊されても、売上金が盗まれるのを回避することが可能になる。また、気流搬送を利用して紙幣を搬送するため、簡単な設備追加でシステムの導入を図ることができ、コストを低く抑えることが可能になる。
【０００９】
また、本発明は、紙幣投入部が設けられ、該紙幣投入部に紙幣を投入して給油料金を支払う計量機であって、前記紙幣投入部に投入された紙幣を該計量機の外部に搬出する紙幣搬送路と、該紙幣搬送路に空気を供給して紙幣を気流搬送する空気供給手段とが接続されることを特徴とする。
【００１０】
さらに、本発明は、紙幣投入部が設けられ、該紙幣投入部に紙幣を投入して給油料金を支払う精算機であって、前記紙幣投入部に投入された紙幣を該精算機の外部に搬出する紙幣搬送路と、該紙幣搬送路に空気を供給して紙幣を気流搬送する空気供給手段とが接続されることを特徴とする。
【発明の効果】
【００１１】
以上のように、本発明によれば、コストを低く抑えつつ防犯性に優れた給油所システム等を提供することができる。
【図面の簡単な説明】
【００１２】
【図１】本発明にかかる給油所システムの一実施の形態を示す斜視図である。
【図２】図１の給油所システムの正面図である。
【図３】図１の給油所システム計量機の概略構成図であって、（ａ）は正面図、（ｂ）は紙幣投入部及びその近傍を示す拡大正面図、（ｃ）は（ｂ）の側面図である。
【図４】図１の給油所システム計量機の紙幣回収装置の概略構成図であって、（ａ）は平面図、（ｂ）は側断面図である。
【発明を実施するための形態】
【００１３】
次に、本発明を実施するための形態について、図面を参照しながら詳細に説明する。尚、以下においては、計量機に紙幣を投入して給油料金を支払う場合を例にとって説明する。
【００１４】
図１及び図２は、本発明にかかる給油所システムの一実施の形態を示し、この給油所システム１は、複数の計量機２（２Ａ〜２Ｄ）と、各計量機２Ａ〜２Ｄに接続される紙幣搬送路３及び空気供給路４と、空気供給路４に空気を送り込むポンプ５（５Ａ、５Ｂ）と、紙幣搬送路３に接続される紙幣回収装置６とで構成される。
【００１５】
計量機２は、燃料を給油するための設備であり、給油ノズルや給油ポンプ等の一般的な給油機構を備える。また、計量機２には、紙幣に関する機構として、図３に示すように、紙幣を投入するための紙幣投入部２ａと、投入された紙幣の種類（金額）を判別する判別部２ｂと、投入された紙幣を紙幣搬送路３に送り出す搬送部２ｃと、搬送部２ｃによって送り出された紙幣を２つ折りにする折曲部２ｄ等が設けられる。
【００１６】
紙幣搬送路３は、計量機２内の紙幣を計量機２の外部に搬出するために備えられる。この紙幣搬送路３は、図２に示すように、例えば、天井部等に敷設された主配管３ａと、主配管３ａから垂下し、計量機２や紙幣回収装置６を主配管３ａと接続する接続配管３ｂとから構成される。紙幣搬送路３の全体又は露出部分（接続配管３ｂ）には、配管を保護したり、紙幣の流れが見えるのを防止する目的で、保護カバー（不図示）が被設される。尚、図示を省略するが、紙幣搬送路３の各所には紙幣が詰まった状態を検出するためのセンサが設置される。
【００１７】
空気供給路４は、ポンプ５からの空気を紙幣搬送路３に導き、紙幣を気流搬送するために備えられる。空気供給路４においても、図２に示すように、天井部等に敷設された主配管４ａと、主配管４ａから垂下する接続配管４ｂとから構成される。また、空気供給路４にも、配管を保護するための保護カバー（不図示）が被設される。
【００１８】
ポンプ５は、図１に示すように、天井裏等に配置され、空気供給路４に空気を供給する。このポンプ５の作動タイミングについては後述する。
【００１９】
紙幣回収装置６は、紙幣搬送路３を通じて計量機２から搬出された紙幣を回収するために備えられ、厳重に管理された状態で事務所７等に設置される。この紙幣回収装置６は、図４に示すように、紙幣搬送路３を通じて搬送された紙幣と空気とを分離する分離部６ａと、分離された紙幣を真っ直ぐに矯正する矯正部６ｂと、矯正された紙幣を収納する収納部６ｃと、紙幣の搬送制御等を行うための操作パネル６ｄと、紙幣回収装置６を開閉するための鍵６ｅとを備える。
【００２０】
次に、上記構成を有する給油所システム１の動作について、図１〜図４を参照しながら説明する。
【００２１】
例えば、計量機２Ａの紙幣投入部２ａに紙幣が投入されると、図３（ｃ）に示す判別部２ｂによって紙幣の種類を判別し、搬送部２ｃによって紙幣搬送路３に送り出しながら、折曲部２ｄで紙幣を２つ折りにする。
【００２２】
これと併行して、図１及び図２に示すポンプ５を作動させ、空気供給路４を介して紙幣搬送路３に空気を供給し、２つ折りにした紙幣を計量機２Ａから搬出して紙幣回収装置６に搬送する。これによって、現金が計量機２内に保有されるのを回避する。尚、計量機２Ａの紙幣投入部２ａに紙幣を投入した際に、他の計量機２Ｃ〜２Ｄの紙幣投入部２ａに紙幣が投入されていなければ、計量機２Ａの紙幣投入部２ａに投入された紙幣は、判別部２ｂ〜折曲部２ｄを介して即座に紙幣搬送路３を通じて搬送されるが、他の計量機２Ｃ〜２Ｄの紙幣投入部２ａに紙幣が投入されている際には、計量機２Ａの紙幣投入部２ａに投入された紙幣は、搬送部２ｃで一旦停止し、他方の紙幣が紙幣回収装置６に収納された後、搬送される。
【００２３】
接続配管３ｂ及び主配管３ａを介して紙幣回収装置６に到達した紙幣は、図４に示す分離部６ａにおいて空気から分離され、矯正部６ｂで真っ直ぐに矯正された後、収納部６ｃに収納される。
【００２４】
以上のように、本実施の形態によれば、計量機２に投入された紙幣をその都度紙幣搬送路３を通じて搬出し、事務所７等に設置された紙幣回収装置６に搬送するため、投入された紙幣を即座に計量機２の外部に退避させることができ、売上金を持ち去る目的で計量機２の一部が破壊されても、売上金が盗まれるのを回避することが可能になる。
【００２５】
また、気流搬送を利用して紙幣を搬送するため、システムの導入にあたって、気流搬送用の配管を敷設したり、空気供給用のポンプを設置するなどの簡単な設備追加で対応することができ、計量機の構造を変更して堅強化を図る場合に比べて、設備費や導入コストを低く抑えることができる。尚、計量機２において、紙幣搬送路３に紙幣を送り出す搬送部２ｃや、紙幣搬送路３及び空気供給路４を接続するための接続部を追加する必要があるが、これらは、ＡＴＭ機等での汎用品を流用したり、軽度の設計変更で対応することができるため、大幅なコスト増を招くことはない。
【００２６】
以上、本発明の実施の形態を説明したが、本発明は、上記構成に限定されるものではなく、特許請求の範囲に記載された発明の範囲内で種々の変更が可能である。
【００２７】
例えば、上記実施の形態においては、計量機２に紙幣を投入する場合を例示したが、紙幣搬送路３及び空気供給路４を精算機に接続し、精算機に投入された紙幣を紙幣回収装置６に搬送することも可能である。
【００２８】
また、上記実施の形態おいては、計量機２に投入された紙幣を直ちに紙幣搬送路３へ導き、計量機２内に保管するが、投入された紙幣を計量機２内にある程度の枚数保管した後に紙幣回収装置６に搬送してもよい。
【００２９】
さらに、上記実施の形態においては、紙幣搬送路３及び空気供給路４の主配管３ａ、４ａを天井部等に敷設するが、地中に埋設するようにしてもよい。
【００３０】
また、上記実施の形態においては、給油所システム１に専用のポンプ５を天井裏に配置したが、給油所に既設の圧縮空気用ポンプを利用してもよい。
【符号の説明】
【００３１】
１  給油所システム
２（２Ａ〜２Ｄ）  計量機
２ａ  紙幣投入部
２ｂ  判別部
２ｃ  搬送部
２ｄ  折曲部
３  紙幣搬送路
３ａ  主配管
３ｂ  接続配管
４  空気供給路
４ａ  主配管
４ｂ  接続配管
５（５Ａ、５Ｂ）  ポンプ
６  紙幣回収装置
６ａ  分離部
６ｂ  矯正部
６ｃ  収納部
６ｄ  操作パネル
６ｅ  鍵
７  事務所
【図１】
2011054084.tif 000003
【図２】
2011054084.tif 000004
【図３】
2011054084.tif 000005
【図４】
2011054084.tif 000006